(57)【要約】【課題】コンテンツとダビング先記録媒体の現状に応じたダビング方法を提供する。【解決手段】ダビング元のコンテンツＭ１の状況（コピー制御情報等）とダビング先記録媒体Ｍ２の状況（媒体の種類等）に応じた方法（無劣化ダビング／画質変換ダビング、コピー／移動等）が自動判定される。この判定結果に基づいてダビング方法が自動的に指定され、１つ以上のコンテンツがダビングされる。【選択図】図４
2006323890.tif 000002
【特許請求の範囲】
【請求項１】
ある記録場所に記録されたコンテンツを別の記録場所に書き込むダビングを行なう方法において、
前記別の記録場所を含むダビング先記録媒体の記録可能な残容量に応じた品質を自動判定し、この判定結果に基づいて、ダビング対象のコンテンツが前記残容量に収まるように、１つ以上のコンテンツをダビングする方法。
【請求項２】
ある記録場所に記録されたコンテンツを別の記録場所に書き込むダビングを行なう方法において、
前記ある記録場所に記録されたダビング元のコンテンツのフォーマットが前記別の記録場所を含むダビング先記録媒体のフォーマットに適合しない場合、前記ダビング元コンテンツをダビング先フォーマットに適合するように再符号化してダビングを行う方法。
【請求項３】
ある記録場所に記録されコピー制御情報を持つコンテンツを別の記録場所に書き込むダビングを行なう方法において、
前記ある記録場所に記録されたダビング元のコンテンツの前記コピー制御情報の状態と、前記別の記録場所を含むダビング先記録媒体のコピー制御への対応状態に応じて、コピー処理または移動処理もしくはダビング不可を自動判定し、この判定結果に応じたダビング処理を行なう方法。
【請求項４】
１以上の記録場所に異なるビットレートで記録された第１コンテンツおよび第２コンテンツを別の記録場所に書き込むダビングを行なう方法において、
前記第１コンテンツのビットレートと前記第２コンテンツのビットレートを同じビットレートにレート変換して、前記第１および第２コンテンツを一括して移動する方法。
【請求項５】
１以上の記録場所に異なるアスペクト比の画像情報を含んで記録された第１コンテンツおよび第２コンテンツを別の記録場所に書き込むダビングを行なう方法において、
前記第１コンテンツのアスペクト比と前記第２コンテンツのアスペクト比を同じアスペクト比に変換して、前記第１および第２コンテンツを一括してダビングする請求項１に記載の方法。
【請求項６】
１以上の記録場所に異なる記録フォーマットで記録された第１コンテンツおよび第２コンテンツを別の記録場所に書き込むダビングを行なう方法において、
前記第１コンテンツの記録フォーマットと前記第２コンテンツの記録フォーマットを同じ記録フォーマットに変換して、前記第１および第２コンテンツを一括してダビングする請求項２に記載の方法。
【請求項７】
前記コンテンツを再生する手段と、再生された前記コンテンツを記録する手段と、前記ダビングの処理を制御する手段を備えた、請求項１ないし請求項６のいずれか１項に記載の方法を実行するダビング装置。
【発明の詳細な説明】
【技術分野】
【０００１】
この発明は、コンテンツとダビング先記録媒体に応じたダビング方法と装置に関する。
【背景技術】
【０００２】
デジタルバーサタイルディスク（ＤＶＤ）の録画フォーマットには、セル販売されるＤＶＤソフトなどで使用されているＤＶＤビデオフォーマットと、ＤＶＤレコーダで使用され編集処理が可能なＤＶＤ−ＶＲフォーマットがある。多くのＤＶＤレコーダでは、記録媒体として、ハードディスク（ＨＤＤ）および光ディスク（ＤＶＤ−ＲＡＭ、ＤＶＤ−ＲＷ、ＤＶＤ−Ｒ等）が使用されている。ＤＶＤレコーダでは、これらの種々な記録媒体を適宜使い分けて、適宜映像コンテンツのダビングを行えるようになっている。
【０００３】
ダビングを行えるＤＶＤレコーダの中には、指定された番組を指定された圧縮率でエンコードした場合における圧縮画像データのデータ量を算出し、算出されたデータ量とダビング先のディスクの残容量とを比較して、記録できない場合に警告を発するものがある（特許文献１参照）。
【特許文献１】特開２００４−１２７４７０号公報（段落００４０−００４１、図２）
【発明の開示】
【発明が解決しようとする課題】
【０００４】
上記の警告が発せられた場合、ユーザは、ダビング指定画面を参照してダビングする番組を少なくするかデータレートを低くする等によって、ダビング可能にすることができる。しかしながら、この方法では、ディスクの残容量に収まるダビングを実施するためには煩雑な設定を必要とするため、操作性に問題がある。
【０００５】
この発明の課題の１つは、コンテンツとダビング先記録媒体の現状に応じたダビング方法およびこの方法を実行できる装置を提供することである。
【課題を解決するための手段】
【０００６】
この発明の実施においては、ダビング元のコンテンツＭ１の状況（コピー制御情報等）とダビング先記録媒体Ｍ２の状況（媒体の種類等）に応じた方法（無劣化ダビング／画質変換ダビング、コピー／移動等）が自動判定される。この判定結果に基づいてダビング方法が自動的に指定され、１つ以上のコンテンツがダビングされる（図４参照）。
【０００７】
この発明の一実施の形態に係るダビング方法では、ある記録場所に記録されたコンテンツが別の記録場所に書き込まれる。この方法においては、ダビング先記録媒体の記録可能な残容量（図５のＳＴ３０４、ＳＴ３０５）に応じた品質（ビットレート、音声モード等）が自動判定（図５のＳＴ３０８の内部処理の一部）され、この判定結果に基づいて、ダビング対象のコンテンツが前記残容量に収まるように、１つ以上のコンテンツがダビングされる（図５のＳＴ３０８）。
【０００８】
また、ダビング元のコンテンツのフォーマット（例えばＤＶＤ−ＶＲ）がダビング先記録媒体のフォーマット（例えばＤＶＤビデオ）に適合しない場合（図５のＳＴ３０６ノー）は、ダビング元コンテンツがダビング先フォーマットに適合するように再符号化されてダビングが行われる（図５のＳＴ３０８）。
【０００９】
また、ダビング元のコンテンツのコピー制御情報の状態（図６のＳＴ４０５）とダビング先記録媒体のコピー制御への対応状態（ＣＰＲＭ対応の有無等：図６のＳＴ４０７）に応じて、コピー処理または移動処理もしくはダビング不可が自動判定され、この判定結果（ＳＴ４０５、ＳＴ４０７のイエス／ノー）に応じてダビング処理が行われる（ＳＴ４０６、ＳＴ４０９、ＳＴ４１０）。
【００１０】
さらに、この発明の他の実施の形態に係るダビング方法では、１以上の記録場所に異なるビットレートで記録された第１コンテンツおよび第２コンテンツが別の記録場所に書き込まれる。この方法においては、第１コンテンツのビットレート（例えば８Ｍｂｐｓ）と第２コンテンツのビットレート（例えば４Ｍｂｐｓ）が同じビットレート（例えば４Ｍｂｐｓや２Ｍｂｐｓ）にレート変換されて（図５のＳＴ３０８の内部処理の一部）、一括ダビング（移動）される（図５のＳＴ３０８）。
【発明の効果】
【００１１】
ダビング元のコンテンツとダビング先記録媒体の現状に応じたダビングが可能となる。
【発明を実施するための最良の形態】
【００１２】
以下、図面を参照してこの発明の実施の形態を説明する。図１は、この発明を適用した映像録画装置（ＤＶＤ／ＨＤＤハイブリッドレコーダ）の実施の一形態を示す図である。この実施の形態では、記録媒体としてＤＶＤ−Ｒなどの光ディスクとハードディスクの双方を取り扱うことができる装置（ＨＤＤ付ＤＶＤ−ＶＲレコーダ）として示しているが、記録媒体として半導体メモリ等を適宜併用してもよい。図１において、各ブロックを大きく分けると、左側には記録部の主なブロックを示し、右側には再生部の主なブロックを示している。
【００１３】
図１の映像録画装置は、２種類のディスクドライブ部を有する。まず、ビデオファイルを構築できる情報記録媒体である第１のメディアとしての光ディスク（ＤＶＤ−ＲＡＭ、ＤＶＤ±ＲＷ、ＤＶＤ±Ｒなど）１００１を回転駆動し、情報の読み書きを実行するディスクドライブ部１００２を有する。また、第２のメディアとしてのハードディスク（ＨＤＤ）を駆動するハードディスクドライブ部２００１を有する。データプロセッサ部１００３は、ディスクドライブ部１００２及びハードディスクドライブ部２００１に記録データを供給することができ、また、再生された信号を受け取ることができる。ディスクドライブ部１００２は、光ディスク１００１に対する回転制御系、レーザ駆動系（波長が６５０ｎｍの赤色レーザ、あるいは４０５ｎｍもしくはそれ以下の青色レーザを用いる）、光学系などを有する。データプロセッサ部１００３は、記録または再生単位のデータを取り扱うもので、バッファ回路、変調・復調回路、エラー訂正部などを含む。
【００１４】
また図１の映像録画装置は、録画側を構成するエンコーダ部５０と、再生側を構成するデコーダ部６０と、装置本体の動作を制御するマイクロコンピュータブロック３０とを主たる構成要素としている。エンコーダ部５０は、入力されたアナログビデオ信号やアナログオーディオ信号をデジタル化するビデオ用及びオーディオ用のアナログデジタルコンバータと、ビデオエンコーダと、オーディオエンコーダとを有する。さらに、副映像エンコーダも含む。エンコーダ部５０の出力は、バッファメモリを含むフォーマッタ５１にて所定のフォーマット（ＤＶＤ−ＲＡＭフォーマット等）に変換され、先のデータプロセッサ部１００３に供給される。エンコーダ部５０には、ＡＶ入力部４１からの外部アナログビデオ信号と外部アナログオーディオ信号、あるいはＴＶチューナ部４２からのアナログビデオ信号とアナログオーディオ信号が入力される。
【００１５】
なお、エンコーダ部５０は、直接圧縮されたデジタルビデオ信号やデジタルオーディオ信号が直接入力されるときは、圧縮デジタルビデオ信号やデジタルオーディオ信号を直接フォーマッタ５１に供給することもできる。またエンコーダ部５０は、アナログデジタル変換されたデジタルビデオ信号やオーディオ信号を、ビデオミキシング部７１やオーディオセレクタ７６に直接供給することもできる。エンコーダ部５０に含まれるビデオエンコーダでは、デジタルビデオ信号はＭＰＥＧ２（またはＭＰＥＧ１もしくはＭＰＥＧ４−ＡＶＣ）規格に基づいた可変ビットレートで圧縮されたデジタルビデオ信号に変換される。デジタルオーディオ信号は、ＭＰＥＧまたはＡＣ−３規格に基づいて固定ビットレートで圧縮されたデジタルオーディオ信号、あるいはリニアＰＣＭのデジタルオーディオ信号に変換される。
【００１６】
副映像信号がＡＶ入力部４１から入力された場合（例えば副映像信号の独立出力端子付ＤＶＤビデオプレーヤからの信号など）、あるいはこのようなデータ構成のＤＶＤビデオ信号が放送されてそれがＴＶチューナ部４２で受信された場合は、ＤＶＤビデオ信号中の副映像信号が副映像エンコーダでエンコード（ランレングス符号化）されて副映像のビットマップとなる。エンコードされたデジタルビデオ信号、デジタルオーディオ信号、副映像データは、フォーマッタ５１にてパック化され、ビデオパック、オーディオパック、副映像パックとなり、さらにこれらが集合されて、ＤＶＤ-ビデオ規格で規定されたフォーマット（ＤＶＤビデオフォーマット）や、ＤＶＤ-レコーディング規格で規定されたフォーマット（ＤＶＤ−ＶＲフォーマット）に変換される。
【００１７】
ここで図１の装置は、フォーマッタ５１でフォーマット化された情報（ビデオ、オーディオ、副映像データなどのパック）及び作成された管理情報を、データプロセッサ部１００３を介してハードディスクドライブ部２００１あるいはデータディスクドライブ部１００２に供給し、ハードディスクあるいは光ディスク１００１に記録することができる。またハードディスクあるいは光ディスク１００１に記録された情報を、データプロセッサ部１００３、ディスクドライブ部１００２を介して光ディスク１００１あるいはハードディスクに記録することもできる。またハードディスクあるいは光ディスク１００１に記録されている複数番組のビデオオブジェクトを、一部削除したり、分割したり、異なる番組のオブジェクトを繋げたり、といった編集処理を行うこともできる。これは、この発明の一実施の形態で利用するＤＶＤ−ＶＲフォーマットが、取り扱うデータ単位を定義し、編集を容易にしているからである。
【００１８】
マイクロコンピュータブロック３０は、ＭＰＵ（マイクロプロセッシングユニット）、またはＣＰＵ（セントラルプロセッシングユニット）と、制御プログラム等（ファームウエア等）が書きこまれたファームウエアＲＯＭと、プログラム実行に必要なワークエリアを提供するためのワークＲＡＭなどを含んでいる。マイクロコンピュータブロック３０のＭＰＵは、そのＲＯＭに格納された制御プログラムに従い、ＲＡＭをワークエリアとして用いて、欠陥場所検出、未記録領域検出、録画情報記録位置設定、ＵＤＦ記録、ＡＶアドレス設定、履歴情報検索処理などを実行する。
【００１９】
すなわち、マイクロコンピュータブロック３０は、システム全体を制御するために必要な情報処理部を有するもので、ファームウエアＲＯＭ３１ａ、ワークＲＡＭ３１、ディレクトリ検出部３２のほか、図示しないがＶＭＧ（全体のビデオ管理情報）情報作成部、コピー関連情報検知部、コピー及びスクランブリング情報処理部（ＲＤＩ処理部）、パケットヘッダ処理部、シーケンスヘッダ処理部、アスペクト比情報処理部などを備える。さらに、マイクロコンピュータブロック３０は、ＤＶＤ−Ｒディスクに対してＶＲ記録等を行なう際の区画（Rzone）の処理を行なう処理部３６と、履歴情報検索を行なう処理部３５と、録画を実行する際の管理情報の制御部３４と、編集を実行する際の管理情報の制御部３３と、記録可能光ディスク（ＤＶＤ−Ｒ／＋Ｒ、ＤＶＤ−ＲＷ／＋ＲＷなど）の初期化（フォーマッティング）処理部３８、記録可能光ディスクのファイナライズ処理部３９などを備える。なお、部分使用済みディスクを初期化状態に戻す処理等はその他の処理部３７で処理される。
【００２０】
ＭＰＵの実行結果のうち、ユーザに通知すべき内容は、映像データ記録再生装置の表示部４３に表示されるか、またはモニタディスプレイ７５にＯＳＤ（オンスクリーンディスプレイ）表示される。またマイクロコンピュータブロック３０は、この装置を操作するための操作信号を与えるキー入力部４４を有する。このキー入力部４４は、例えば映像録画装置の本体上に設けた操作スイッチ類や、あるいはリモコン装置などに相当する。また、入力部４４は、この発明の一実施の形態に係る映像録画装置と有線通信あるいは無線通信あるいは光通信や赤外線通信などの手段を用いて接続されたパーソナルコンピューターであってもよい。いずれの形態であるにせよ、ユーザがこのキー入力部４４を操作することにより、入力された映像音声信号の録画処理や、録画されたコンテンツの再生処理、あるいは録画されたコンテンツに対する編集処理などを施すことができる。
【００２１】
なお、マイクロコンピュータブロック３０が、ディスクドライブ部１００２、ハードディスクドライブ部２００１、データプロセッサ部１００３、エンコーダ部５０および／またはデコーダ部６０などを制御するタイミングは、ＳＴＣ（システムタイムクロック）３８からの時間データに基づいて実行することができる。録画や再生の動作は、通常はＳＴＣ３８からのタイムクロックに同期して実行されるが、それ以外の処理はＳＴＣ３８とは独立したタイミングで実行されてもよい。
【００２２】
デコーダ部６０は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするVデコーダと、セパレータで分離された副映像データ（副映像パックの内容）をデコードするＳＰデコーダと、セパレータで分離されたオーディオデータ（オーディオパックの内容）をデコードするAデコーダとを有する。またデコードされた主映像にデコードされた副映像を適宜合成し、主映像にメニュー、ハイライトボタン、字幕やその他の副映像を重ねて出力するビデオプロセッサを備えている。
【００２３】
デコーダ部６０の出力ビデオ信号は、ビデオミキシング部７１に入力される。ビデオミキシング部７１では、テキストデータの合成が行われる。またビデオミキシング部７１には、ＴＶチューナ４２やＡ／Ｖ入力部４１からの信号を直接取り込むラインもまた接続されている。ビデオミキシング部７１には、バッファとして用いるフレームメモリ７２が接続されている。ビデオミキシング部７１の出力がアナログ出力の場合はＩ／Ｆ（インタフェース）７３を介して外部出力され、デジタル出力の場合はデジタルアナログ変換器７４を介して外部へ出力される。
【００２４】
デコーダ部６０の出力オーディオ信号は、セレクタ７６を介してデジタルアナログ変換器７７でアナログ変換され外部に出力される。セレクタ７６は、マイクロコンピュータブロック３０からのセレクト信号により制御される。これによりセレクタ７６は、ＴＶチューナ４２やＡ／Ｖ入力部４１からのデジタル信号を直接モニタする時、エンコーダ部５０をスルーした信号を直接選択することも可能である。
【００２５】
なお、エンコーダ部５０のフォーマッタ５１では、録画中、各切り分け情報を作成し、定期的にマイクロコンピュータブロック３０のＭＰＵへ送る（ＧＯＰ先頭割り込み時などの情報）。切り分け情報としては、ＶＯＢＵのパック数、ＶＯＢＵ先頭からのＩピクチャのエンドアドレス、ＶＯＢＵの再生時間などである。同時に、アスペクト情報処理部からの情報を録画開始時にＭＰＵへ送り、ＭＰＵはＶＯＢストリーム情報（ＳＴＩ）を作成する。ここでＳＴＩは、解像度データ、アスペクトデータなどを保存し、再生時、各デコーダ部ではこの情報を元に初期設定が行われる。
【００２６】
また図１の装置では、ビデオファイルは１ディスクに１ファイルとしている。またデータをアクセス（シーク）している間に、途切れないで再生を続けるために、最低限連続する情報単位（サイズ）を決めている。この単位をＣＤＡ（コンティギュアス・データ・エリア）という。ＣＤＡサイズは、ＥＣＣ（エラー訂正コード）ブロック（１６セクタ）の倍数であり、ファイルシステムではこのＣＤＡ単位で記録を行っている。
【００２７】
データプロセッサ部１００３は、エンコーダ部５０のフォーマッタからＶＯＢＵ単位のデータを受け取り、ＣＤＡ単位のデータをディスクドライブ部１００２あるいはハードディスクドライブ部２００１に供給している。またマイクロコンピュータブロック３０のＭＰＵは、記録したデータを再生するのに必要な管理情報を作成し、データ記録終了のコマンドを認識すると、作成した管理情報をデータプロセッサ部１００３に送る。これにより、管理情報がディスクに記録される。従って、エンコードが行われているとき、エンコーダ部５０からマイクロコンピュータブロック３０のＭＰＵは、データ単位の情報（切り分け情報など）を受け取る。また、マイクロコンピュータブロック３０のＭＰＵは、記録開始時には光ディスク及びハードディスクから読み取った管理情報（ファイルシステム）を認識し、各ディスクの未記録エリアを認識し、データ上の記録エリアをデータプロセッサ部１００３を介してディスクに設定している。
【００２８】
次に、図２を参照して、管理情報と、コンテンツである実映像データとの関係を簡単に説明する。まず実映像データについて説明する。ここでは実映像データは記録メディア上で１つのファイルにまとめられているとする。１つのファイルは、１つまたは複数の実映像データストリームで構成されている。１つ１つの実映像データストリームは、例えば１回の録画処理により記録される単位であったりする。これは、例えばＤＶＤ−ＶＲ規格におけるＶＯＢ（ビデオオブジェクト）などに相当する。１つの実映像データストリームは、１つまたは複数のストリーム部分領域で構成される。これは、例えばＤＶＤ−ＶＲ規格におけるＶＯＢＵ（ビデオオブジェクトユニット）や、ＭＰＥＧ２規格におけるＧＯＰ（グループオブピクチャ）などに相当する。１つのストリーム部分領域は、複数パックから構成される。複数のパックとしては、情報パック、映像パック、音声パックなどが存在する。副映像パックが存在してもよい。
【００２９】
情報パックは、例えばＤＶＤビデオレコーディング（ＤＶＤ−ＶＲ）規格におけるＲＤＩパックなどに相当する。その場合、このパックには、これが属するＶＯＢＵの最初のフィールドが再生される開始時間を示す情報、当該ＶＯＢＵの記録時を示す情報、製造者情報（ＭＮＦＩ）などを含む。また、ディスプレイ制御情報（ＤＣＩ）及びコピーコントロール情報（ＣＣＩ）を含む。ディスプレイ制御情報は、アスペクト比情報、サブタイトルモード情報、フィルムカメラモード情報を示す。コピーコントロール情報は、コピー許可情報、またはコピー禁止（非許可）情報を含む。なお、デジタル放送コンテンツには１度だけ録画を許可するコピーワンスのコピーコントロール情報が付加されている。このようなコンテンツを一旦ＨＤＤあるいはＤＶＤ−ＲＡＭ等に録画すると、録画されたコンテンツはそれ以上のコピーが禁止される。但し、機器によっては、ダビング実施に伴いダビング元のコンテンツを消去するムーブ（移動）が可能な場合がある。図１に例示したレコーダは、このムーブも可能に構成されている。
【００３０】
映像パックはビデオデータがＭＰＥＧ２の方式で圧縮されたもので、パックヘッダ、パケットヘッダ、ビデオデータ部で構成される。音声パックはオーディオデータが、例えばリニアＰＣＭあるいはＭＰＥＧ、あるいはＡＣ−３などの方式で処理されたものであり、パックヘッダ、パケットヘッダ、オーディオデータ部で構成される。
【００３１】
次に、管理情報について説明する。管理情報の中に、実映像データの再生順序を管理する情報（再生順序情報）であるオリジナルタイトル（プログラム）情報が定義されている。これは、例えばＤＶＤ−ＶＲ規格におけるプログラムなどに相当する。個々のオリジナルタイトル情報（またはプログラム情報）の中には参照情報が定義されており、これは再生すべき対象となる実映像データに関する情報である実映像データ情報とリンクしている。これらは、例えばＤＶＤ−ＶＲ規格におけるセルとビデオオブジェクト情報（ＶＯＢＩ）などに相当する。このようにオリジナルタイトル（プログラム）は、再生順序を管理する情報（再生順序情報）およびそれ自身の実映像データを持ち、通常、録画時にはこのタイトルが作成される。
【００３２】
これに対し、再生順序を管理する情報（再生順序情報）のみで構成されているものもある。これがプレイリスト情報であり、例えばＤＶＤ−ＶＲ規格におけるプレイリストなどがこれに相当する。このプレイリスト情報はそれ自身の実映像データを持たず、図２に示すように、オリジナルタイトルの実映像データ情報に対してリンクしている参照情報を編集（削除、追加）することでプレイリストとして作成される。
【００３３】
実映像データ情報内にはタイムマップ情報が記述されている。このタイムマップ情報は、実映像データ情報に対応する実映像データストリームを構成している部分領域を指定する。管理情報のオリジナルタイトル情報あるいはプレイリスト情報の参照情報から実映像データ情報へのリンクは、論理アドレスで特定されている。またタイムマップ情報から実映像データストリーム及びその部分領域へのリンクは、実映像データストリームの番号、そのストリーム内の部分領域の数、個々の部分領域に対するエントリ番号、個々の部分領域への論理アドレスに基づいて行われている。このような構成により、録画された映像データの通常の再生のみならず、倍速／スロー再生や逆再生のような特殊再生、更にはシーンのサーチなどに対応することができる。
【００３４】
以下、図を参照してこの発明の実施の形態の動作を説明する。以下の説明においては、この発明の一実施の形態に係る映像録画装置は、次のような構成を取るものとしている。すなわち、この映像録画装置は、ＤＶＤ録画規格（ＤＶＤ−ＶＲ規格）に基づいたＤＶＤ録画装置である。この場合、ＤＶＤディスク（通常はＤＶＤ−ＲＡＭディスクまたはＤＶＤ−ＲＷディスクであるが、ＤＶＤ−Ｒへのビデオレコーディングも可能）上にはＤＶＤ−ＶＲフォーマットと呼ばれるデータフォーマットで録画される。加えて、この映像録画装置は、ＤＶＤビデオ規格（ＤＶＤビデオ規格）に基づいてＤＶＤディスクへ録画する機能も有するものとする。この場合は、ＤＶＤディスク（ＤＶＤ−Ｒディスク等）上にはＤＶＤビデオフォーマットと呼ばれるデータフォーマットで録画される。
【００３５】
この発明の一実施の形態に係る映像録画装置では、書換え可能なＤＶＤ−ＲＡＭディスクやＤＶＤ−ＲＷディスクだけでなく、ライトワンスメディアであるＤＶＤ−Ｒディスクも使用できる。これらＤＶＤディスクに対して録画を実施する際のフォーマットは、ＤＶＤディスクの種類毎に一意に固定されるものではなく、例えばＤＶＤ−Ｒに対して、ＤＶＤ−ＶＲフォーマットまたはＤＶＤビデオフォーマットのいずれのフォーマットによっても録画が実施できるものとする。
【００３６】
また、以下の説明においては、この発明の一実施の形態に係る映像録画装置は、先に説明した図１のブロック図で示されるような、ＤＶＤとＨＤＤの２つの録画メディアを有するハイブリッド録画機であるとし、ＤＶＤとＨＤＤ相互間での映像情報のダビング（あるいはムーブ）が可能であるとする。ただし、この発明の実施の形態の内容は、ハイブリッド録画機だけに適用されるものではなく、ＤＶＤディスクへの録画機能のみを有した、ＤＶＤ単体の録画機（パーソナルコンピュータをソフトウエアでＤＶＤレコーダとして機能させるものも含む）に対しても適用できる。
【００３７】
また、この発明の一実施の形態に係る映像録画装置においては、録画されたタイトル内の部分領域をチャプタと呼称することとする。たとえばＤＶＤ−ＶＲフォーマットで録画された場合、チャプタは、タイトル内に設定された、ＤＶＤ−ＶＲ規格で定義されているエントリポイント（ＥＰ）をその境界の目印として利用している。すなわち、タイトル内に設定したあるＥＰとその次のＥＰとで挟まれた区間をチャプタと呼ぶ。なお、タイトルの始点と終点については、ＥＰの有無に関わらずチャプタの境界とする。従って、タイトルの１番目のチャプタについては、その始点にＥＰが立っていないこともあり得る。
【００３８】
図３は、ＤＶＤ録画規格（ＤＶＤ−ＶＲ規格）で規定されているディレクトリとファイルの構成を示す概略図である。この図３は、ＤＶＤ−ＶＲ規格のVer 1.1で規定されているディレクトリおよびファイルを例示している。ＤＶＤ−ＶＲ規格のVer 1.1では、ルートディレクトリの下にＤＶＤ＿ＲＴＡＶというサブディレクトリを設けており、規格で規定されているファイルはこのＤＶＤ＿ＲＴＡＶの下に収められている。つまりＤＶＤ＿ＲＴＡＶの下には、図３に示す５種類のファイルのみが存在する。以下、個々のファイルについて説明する。
【００３９】
まず、ＶＲ＿ＭＡＮＧＲ．ＩＦＯは、オリジナルタイトル（プログラム）やプレイリストに対するナビゲーションデータである。これは先に説明した図２に示される管理情報に相当する。プレイリストやエントリポイント（ＥＰ）などはこのＶＲ＿ＭＡＮＧＲ．ＩＦＯの中に記述されている。映像データに直接処理を施さなくても、このＶＲ＿ＭＡＮＧＲ．ＩＦＯの記述を変更することによって、不要なシーンの削除などの編集処理を施すことができる。従って、チャプタ作成やプレイリスト編集などの編集処理を施す場合、主にこのＶＲ＿ＭＡＮＧＲ．ＩＦＯが処理の対象となる。また、このＶＲ＿ＭＡＮＧＲ．ＩＦＯには、録画に連動して実映像データに対するタイムマップ情報が書き込まれる。このＶＲ＿ＭＡＮＧＲ．ＩＦＯにはディスク全体に関わる情報も書き込まれるため、ＤＶＤディスクを初期化した際にただちに作成される。
【００４０】
ＶＲ＿ＭＡＮＧＲ．ＢＵＰは上記のＶＲ＿ＭＡＮＧＲ．ＩＦＯのバックアップファイルである。このＶＲ＿ＭＡＮＧＲ．ＢＵＰは規格上はオプションとされており、必ずしも存在するとは限らない。もしもＶＲ＿ＭＡＮＧＲ．ＢＵＰを使用するのであれば、そのファイルの内容はＶＲ＿ＭＡＮＧＲ．ＩＦＯと同じでなくてはならない。
【００４１】
一方、ＶＲ＿ＭＯＶＩＥ．ＶＲＯは、録画された動画像のＡＶ（Audio Visual）データファイルであり、先に説明した図２の実映像データに相当する。ここには、パック化された映像データ、音声データ、またサポートされている場合にはサブピクチャデータが多重化して収められている。ＶＲ＿ＳＴＩＬＬ．ＶＲＯファイルは、静止画像のＡＶデータファイルであり、ＶＲ＿ＭＯＶＩＥ．ＶＲＯと同様に、先に説明した図２の実映像データに相当する。ここにはパック化された映像データが収められている他、オプションとして音声データやサブピクチャデータが多重化されていることもある。また、ＶＲ＿ＡＵＤＩＯ．ＶＲＯファイルは、前記ＶＲ＿ＳＴＩＬＬ．ＶＲＯに収められた静止画像に対するアフレコ（アフターレコーディング）音声情報を収めたデータファイルである。
【００４２】
ＶＲ＿ＭＯＶＩＥ．ＶＲＯ、ＶＲ＿ＳＴＩＬＬ．ＶＲＯおよびＶＲ＿ＡＵＤＩＯ．ＶＲＯファイルは、ＤＶＤディスクを初期化した際には存在せず、実際に録画が行われた際に作成され、映像データや音声データが記録されることになる。なお、この３種類のファイルは必ず存在するものではなく、例えば静止画の記録機能やアフレコ機能を有していない映像録画装置にはＶＲ＿ＳＴＩＬＬ．ＶＲＯやＶＲ＿ＡＵＤＩＯ．ＶＲＯファイルが存在しないことがある。
【００４３】
ＤＶＤ−ＶＲ規格のVer 1.1で規定されているファイルは以上であるが、それ以外に、映像録画装置の操作性の向上や機能の付加を目的として、その映像録画装置の独自の情報ファイルを作成することも可能である。その場合、それら独自の情報ファイルはＤＶＤ＿ＲＴＡＶの下に格納せず、ルートディレクトリの直下あるいはルートディレクトリの下に作成した独自のサブディレクトリの下に格納するとよい。
【００４４】
図４は、コンテンツとダビング先記録媒体の状況に応じてダビング方法を自動判断する処理（ダビングシステムの概略動作）を説明する図である。図示するように、まず、ダビング元の記録媒体Ｍ１に記録されたコンテンツより、以下の情報を取得する（図４の<1>）：
０１．コピー制御情報（コピーフリー、コピーワンス、コピーネバー等）
０２．解像度（Ｄ１、ハーフＤ１等）
０３．ビットレート（８Ｍｂｐｓ、４Ｍｂｐｓ、２Ｍｂｐｓ等）
０４．コンテンツのフォーマット（ＤＶＤ−ＶＲ、ＤＶＤビデオ、ＭＰＥＧ−ＴＳ等）
０５．その他（画像のアスペクト比情報、音声エンコード方法の情報等）。
【００４５】
さらに、ダビング先記録媒体Ｍ２の情報として、以下の情報を取得する（図４の<2>）：
１１．種類（ＨＤＤ、ＤＶＤ−ＲＡＭ、ＤＶＤ±ＲＷ、ＤＶＤ±Ｒ等）
１２．コピー制御への対応（Copy Generation Management System：ＣＧＭＳに準拠したCopy Control Information：ＣＣＩ、Content Protection for Recordable Media：ＣＰＲＭへの対応等）
１３．記録媒体のフォーマット（ＤＶＤ−ＶＲ、ＤＶＤビデオ、次世代のＨＤ＿ＤＶＤフォーマット等）
１４．残容量（装置に現在設定されているビットレートで換算した残り記録可能時間等…記録媒体の物理的な未記録セクタ数が同じでも記録に用いるレートが代われば残容量の時間表示は変わる）
１５．その他（ダビング先の媒体が片面１層ディスクか片面多層ディスクか等）。
【００４６】
図４の<1>、<2>で取得したダビング元コンテンツの情報とダビング先記録媒体の情報を元に、ダビング方法を判断する（図４<3>）。ここで、ダビング時に無劣化ダビング（例えばＤＶＤ−ＶＲモードのままレートを変えずに行なうダビング）とするか、再符号化による画質変換ダビング（例えばＤＶＤ−ＶＲモードのソースコンテンツをＤＶＤビデオモードで録画するダビング、および／または、例えば８Ｍｂｐｓで録画したコンテンツを４Ｍｂｐｓにレート変換して行なうダビング）とするかについては、後述する図５のアルゴリズムにより判断する。また、コピー処理、移動（ムーブ）処理、ダビング不可（ＣＧＭＳでコピーネバー）の判断は、後述の図６のアルゴリズムにより行われる。これらの操作により、最適なダビング方法を自動的に決定することができる。
【００４７】
なお、この発明の一実施の形態では、移動とコピーのいずれも可能なときは、移動処理よりもコピー処理を優先させる（具体的にはＣＧＭＳがコピーフリーならデフォルトでコピー処理を選択する）。また、画質変換ダビングと無劣化ダビングのいずれも可能なときは、画質変換ダビングよりも無劣化ダビングを優先させる（具体的には録画モードも記録レートも変えずに行えるダビングならデフォルトで無劣化ダビング処理を選択する）。その後、適宜ダビング方法を指定し（図４の<4>）、ダビングを開始する（図４の<5>）。
【００４８】
図５は無劣化／画質変換ダビングを説明するフローチャート図である。また、図７はダビングメニューの表示例を説明する図である。さらに、図８は一括ダビングを行なう場合のコンテンツ選択画面を例示する図である。以下、図１、図５〜図８を適宜参照しながら、無劣化ダビングと画質変換ダビングの詳細動作について説明する。
【００４９】
まず、図１のモニタ７５に表示された図７のダビングメニュー画面５０１から、ダビング先を選択する。例えばＨＤＤ部２００１からＤＶＤディスクメディア１００１へダビングする場合、ＨＤＤ→ＤＶＤダビング５０２を選択する（ステップＳＴ３０１）。
【００５０】
次に、ダビングしたいコンテンツを図８の一括ダビング画面６０１より選択する。例えば複数のタイトル６０１、６０２、６０３を選択する（ステップＳＴ３０２）。（いずれかのタイトルがチャプタ分割されているときは、選択対象がチャプタでもよい。）
ダビング元となるＨＤＤ部２００１に記録されているコンテンツより情報（図４の<1>）を取得し（ステップＳＴ３０３）、ダビング先のディスクメディア１００１の情報（図４の<2>）を取得する（ステップＳＴ３０４）。
【００５１】
記録する１つ以上のコンテンツの容量（その再生時間）とダビング先記録媒体の残容量（物理的な記録可能セクタ数をダビングで用いる記録レートで割って換算した記録可能時間）を比較する。そして、コンテンツの容量がダビング先記録媒体の残容量を上回る場合（ステップＳＴ３０５ノー）、ダビング先の記録媒体に記録可能な画質で画質変換ダビングを行う（ステップＳＴ３０８）。（ダビング先の記録媒体の残容量にピッタリ収まる範囲で記録レートを落とす、および／またはその残容量にピッタリ収まる範囲でダビングに用いる音声モードを選択する…例えばリニアＰＣＭを圧縮音声モードに変える等。）
なお、ステップＳＴ３０８の画質変換ダビングの変形例として、第１コンテンツのアスペクト比（例えば１６：９）と第２コンテンツのアスペクト比（例えば４：３）を同じアスペクト比（１６：９または４：３）に変換して（ステップＳＴ３０８の内部処理の一部）、前記第１および第２コンテンツを（再エンコードすることなく）一括してダビングする（ステップＳＴ３０８）ことも可能である。
【００５２】
また、ダビング元コンテンツが、ダビング先のフォーマットに準拠しない解像度やビットレート等で記録されている場合、あるいはダビング元コンテンツのフォーマットがダビング先のフォーマットと非互換である場合（ステップＳＴ３０６ノー）、ダビング先のフォーマットに準拠するフォーマットを用いて画質変換ダビングを行う（ステップＳＴ３０８）。
【００５３】
それ以外の場合（ダビング元コンテンツの容量がダビング先記録媒体の残容量以内であり、かつダビング元コンテンツのフォーマットがダビング先のフォーマットと互換性ありの場合）は無劣化ダビングを行う（ステップＳＴ３０７）。
【００５４】
ここで、「画質変換ダビング」とはコンテンツを再符号化しダビングすることを指し、「無劣化ダビング」とは元のコンテンツの品質を保ったままダビングすることを指している。
【００５５】
なお、ＤＶＤ/ＨＤＤハイブリッドレコーダにこの発明を適用した場合、ダビング操作時に以下の作業を自動化できる：
・ダビング元コンテンツの容量とダビング先ＤＶＤメディアの残容量を取得し、現在のダビング元コンテンツがダビング先メディアに収まるか判断する。収まる場合は無劣化ダビングとし、収まらない場合はダビング先メディアに入るようなビットレートを自動指定し、画質変換ダビングとする。
【００５６】
・コンテンツ情報とダビング先メディア情報を取得し、ＣＰＲＭ（Content Protection for Recordable Media）によるコピー制御情報による移動処理／コピー処理／ダビング不可の判断を行う。
【００５７】
・ＨＤＤからＤＶＤ（ＤＶＤビデオフォーマット）へダビングする際、ダビング元コンテンツのフォーマットをチェックし、ＤＶＤビデオフォーマットに準拠しているか判断する。準拠している場合は無劣化ダビングとし、準拠していない場合（例えばＨＤＤにＤＶＤ−ＶＲフォーマットで録画されているコンテンツをＤＶＤ−ＲへＤＶＤビデオフォーマットでダビングする等）は画質変換ダビングとする。
【００５８】
図６は、コピー制御状態に応じたダビングを説明するフローチャート図である。ここでは、コピー処理、移動処理、ダビング不可の詳細動作について説明する。例えばＨＤＤ部２００１からディスクメディア１００１へダビングする場合、図７のダビングメニュー画面５０１より、ＨＤＤ→ＤＶＤダビング５０２を選択する（ステップＳＴ４０１）。
【００５９】
次に、図８の一括ダビング画面６０１より、ダビングしたいコンテンツ、例えば複数のタイトル６０２、６０３、６０４を選択する（ステップＳＴ４０２）。ダビング元となるＨＤＤ部２００１に記録されているコンテンツより情報（図４の<1>）を取得する（ステップＳＴ４０３）。ダビング先のディスクメディア１００１の情報（図４の<2>）を取得する（ステップＳＴ４０４）。
【００６０】
ダビング元コンテンツに対してコピー制御によりコピー禁止情報（例えばＣＧＭＳのコピーネバー）が付加されている場合（ステップＳＴ４０５ノー）、コンテンツは移動処理のみとなる（ステップＳＴ４０９）。但し、ダビング先記録媒体がコピー制御（例えばＣＰＲＭ）に対応していない場合（ステップＳＴ４０７ノー）、若しくはダビング先フォーマットがコピー制御（例えばＣＧＭＳ）に対応していない場合（例えばダビング先フォーマットがＤＶＤビデオの場合等）（ステップＳＴ４０８ノー）、移動処理を行うことはできずダビングは不可となる（ステップＳＴＴ４１０）。ダビング元コンテンツがコピー禁止でない場合は（ステップＳＴ４０５イエス）、ダビングはコピー処理となる（ステップＳＴ４０６）。
【００６１】
ここで、「コピー処理」とはダビング元のコンテンツをダビング先の記録媒体に複製すること（ダビング元のコンテンツは残る）を指し、「移動処理」とはダビング元のコンテンツをダビング先の記録媒体に移動させること（ダビング元のコンテンツは削除される）を指す。
【００６２】
＜実施の形態による効果＞
（１）ダビング先への１以上のコンテンツのビットレート等をユーザが直接指定するのではなく、ダビング先記録媒体の残容量等によってビットレートが自動的に指定される（図４）。これにより、ダビング先記録媒体の残容量に応じてビットレート等の録画品質を手動で指定する手間を省くことができ、最適な画質で記録（媒体残量を無駄なく使用するピッタリ録画）することが可能となる（図５のＳＴ３０５〜ＳＴ３０８）。
【００６３】
（２）コンテンツのコピー制御情報に応じてダビング方法を自動的に変更することにより、適法なダビング操作を容易にすることができる（図６のＳＴ４０５〜ＳＴ４１０）。
【００６４】
（３）ダビング先フォーマットに応じてコンテンツのダビング方法を自動的に変更することにより、ダビング先記録媒体のフォーマットを意識することなく、ダビングを行うことができる（図５のＳＴ３０６〜ＳＴ３０８または図６のＳＴ４０８〜ＳＴ４１０）。
【００６５】
なお、この発明は前述した実施の形態に限定されるものではなく、現在または将来の実施段階では、その時点で利用可能な技術に基づき、その要旨を逸脱しない範囲で種々に変形することが可能である。例えば、この発明の実施において用いられる光ディスクとしては、厚み０．６mmの基盤を２枚張り合わせたＤＶＤ仕様の光ディスクの表面から０．６mm付近に２以上の記録層を設け、さらにその表面から０．１mm付近に別の記録層を設けた多層構造を採用することができる。このような多層光ディスクを用いる場合、例えば表面から０．１mmの層に波長４０５ｎｍ以下の青色レーザでＭＰＥＧ−ＴＳのストリーム記録を行い、このＴＳ記録の内容をレート変換して表面から０．６mmの層に波長６５０ｎｍの赤色レーザでＤＶＤ−ＶＲ（またはＤＶＤビデオ）規格によるダビング（コピーまたはムーブ）を行なうこともできる。このようなダビング時においても、この発明は有効である。
【００６６】
また、各実施形態は可能な限り適宜組み合わせて実施してもよく、その場合組み合わせた効果が得られる。さらに、上記実施形態には種々の段階の発明が含まれており、開示される複数の構成要件における適当な組み合わせにより種々の発明が抽出され得る。例えば、実施形態に示される全構成要件からいくつかの構成要件が削除されても、この構成要件が削除された構成が発明として抽出され得る。
【図面の簡単な説明】
【００６７】
【図１】この発明の一実施の形態に係る映像録画装置の概要を説明するブロック図。
【図２】この発明の一実施の形態における管理情報と実映像データとの関係を説明する図。
【図３】ＤＶＤ録画規格（ＤＶＤ−ＶＲ規格）で規定されているディレクトリとファイルの構成例を説明する概略図。
【図４】コンテンツとダビング先記録媒体の状況に応じてダビング方法を自動判断する処理を説明する図。
【図５】無劣化／画質変換ダビングを説明するフローチャート図。
【図６】コピー制御状態に応じたダビングを説明するフローチャート図。
【図７】ダビングメニューの表示例を説明する図。
【図８】一括ダビングを行なう場合のコンテンツ選択画面を例示する図。
【符号の説明】
【００６８】
３０…マイクロコンピュータブロック、３１…ワークＲＡＭ、３１ａ…ファームウエアＲＯＭ、３２…ディレクトリ検出部、３３…編集時の管理情報制御部、３４…録画時の管理情報制御部、３５…履歴情報検索処理部、３６…区画処理部、３８…初期化処理部、３９…ファイナライズ処理部、４１…ＡＶ入力部、４２…ＴＶチューナ、４３…表示部、４４…キー入力部、５０…エンコーダ部、５１…フォーマッタ、５２…バッファメモリ、６０…デコーダ部、１００１…光ディスク、１００２…ディスクドライブ部、１００３…データプロセッサ部、２００１…ハードディスクドライブ部。
【図１】
2006323890.tif 000003
【図２】
2006323890.tif 000004
【図３】
2006323890.tif 000005
【図４】
2006323890.tif 000006
【図５】
2006323890.tif 000007
【図６】
2006323890.tif 000008
【図７】
2006323890.tif 000009
【図８】
2006323890.tif 000010